(57)【要約】      （修正有）【課題】壁材を直接、釘等の固定具で打設することなく、壁材を壁下地に簡単に施工できる下地兼取付部材に関するものである。【解決手段】垂直平面状の固定片部２と設置片部３よりなる固定部１と、上端の雌型連結部４と下端の雄型連結部５とから形成したものであり、固定部１は上側壁６と下側壁７とからなり、雌型連結部４は、上端の差込片１３と、差込片１３の先端を内側方に屈曲した上面１４と、上面１４の先端を外側方へ突出した下面１５と、差込溝１６と、防水面１７とから形成し、雄型連結部５は、下端の下片１９と、下片１９の先端を内側方に突出した上片２０と、上片２０の先端を外側方に突出した係合片２１と、係合溝２２とから形成すると共に、設置片部部分に一定ピッチでＬ字状に折り曲げた固定部材を形成した下地兼取付部材Ａである。【選択図】図１
2005207129.tif 000002
【特許請求の範囲】
【請求項１】
垂直平面状の固定片部と設置片部よりなる固定部と、上端の雌型連結部と下端の雄型連結部とから形成したものであり、固定部は上端を内方に屈曲して傾斜した上側壁と略水平な下側壁とからなり、雌型連結部は、上端を上方に突出した差込片と、差込片の先端を内側方に屈曲した上面と、上面の先端を外側方へ突出した下面と、上面と下面とから形成した差込溝と、下面をさらに外側方へ突出した防水面とから形成し、雄型連結部は、下端を内方に屈曲した下片と、下片の先端を内側方に突出した上片と、上片の先端を外側方に突出した係合片と、上片と係合片とから形成した係合溝とから形成すると共に、設置片部部分に一定ピッチでＬ字状に折り曲げた固定部材を形成したことを特徴とする下地兼取付部材。
【発明の詳細な説明】
【技術分野】
【０００１】
本発明は壁材を直接、釘等の固定具で打設することなく、壁材を壁下地に簡単に施工できる下地兼取付部材に関するものである。
【背景技術】
【０００２】
一般に壁材、特にセメントを主材とした窯業系の壁材は、長手方向の両側縁に相决り構造の雄実部と雌実部を形成したものが数多く上市されている。そして、これらの壁材は壁下地に固定する際に、係止片を形成した下地材に嵌合して取り付ける方法が採られている。（例えば、特許文献１、２参照）。
【０００３】
【特許文献１】特開平４−１０８９５１号公報
【特許文献２】特開平４−２６１９５８号公報
【発明の開示】
【発明が解決しようとする課題】
【０００４】
しかしながら、特許文献１は窯業系防火下地材上にタイル固定部材を固定し、タイル固定部材に外装タイルを嵌合して固定する構造であるが、嵌合が確実でなく、破損時に一気に破損したタイルが落下する危険性があった。また特許文献２は下地材の横突条部に外装壁片をクリップを介して固定する構造であるが、タイルの成形精度とクリップの成形の関係で、ガタ付く危険性があった。
【課題を解決するための手段】
【０００５】
本発明はこのような課題を解決するために、垂直平面状の固定片部と設置片部よりなる固定部と、上端の雌型連結部と下端の雄型連結部とから形成したものであり、固定部は上端を内方に屈曲して傾斜した上側壁と略水平な下側壁とからなり、雌型連結部は、上端を上方に突出した差込片と、差込片の先端を内側方に屈曲した上面と、上面の先端を外側方へ突出した下面と、上面と下面とから形成した差込溝と、下面をさらに外側方へ突出した防水面とから形成し、雄型連結部は、下端を内方に屈曲した下片と、下片の先端を内側方に突出した上片と、上片の先端を外側方に突出した係合片と、上片と係合片とから形成した係合溝とから形成すると共に、設置片部部分に一定ピッチでＬ字状に折り曲げた固定部材を形成した下地兼取付部材を提供するものである。
【発明の効果】
【０００６】
上述したように本発明に係る下地兼取付部材によれば、（１）壁材を破損する危険性がない。（２）取付強度が強い。（３）施工後の壁材の安定感が増し、地震等の揺れに対して壁材が外れて剥落することがない。（４）破損時に一気に剥落することがない。（５）ガタ付かない。等の特徴、効果がある。
【発明を実施するための最良の形態】
【０００７】
以下に図面を用いて、本発明に係る下地兼取付部材の一実施例について詳細に説明する。図１〜図４は本発明に係る下地兼取付部材を説明する断面図、図５、図７（ａ）、（ｂ）は下地兼取付部材Ａの施工状態を示す断面図、図８（ａ）、（ｂ）は壁材Ｂを示す説明図である。
【０００８】
下地兼取付部材Ａは後記する壁材Ｂの下地兼固定材として機能し、壁材Ｂの固定下地、断熱下地、防水下地、気密下地、防火下地、耐火下地、耐震下地、等として有用なもので、表面材Ｃ、芯材Ｄ、裏面材Ｅよりなるものである。表面材Ｃとしては、例えば図３〜図７（ａ）、（ｂ）に示すように、カラー鋼板、アルミ・亜鉛合金メッキ鋼板、アルミニウム板、チタン板、ステンレス板、銅板、フッ素樹脂被覆鋼板、クラッド鋼板、ラミネート鋼板、制振鋼板等の金属薄板、等をロール成形、プレス成形したもの、あるいはアルミニウム合金、合成樹脂材、等を押出成形して長尺状に形成したものである。
【０００９】
芯材Ｄとしてはポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体、あるいは石膏ボード、セメント板、炭酸カルシウム板、珪酸カルシウム板、セラミック板、木片セメント板、炭酸マグネシウム板、シージングボード、シージングインシュレーションボード、合板、またはグラスウール、ロックウール、等の繊維系断熱材、等よりなるもの、さらにはこれらをカナッペ構造、サンドイッチ構造に形成した複合板、もしくはこれらをシートとカナッペ構造、サンドイッチ構造に形成した複合板、等の一種よりなるものである。
【００１０】
裏面材Ｅは金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１１】
Ｆは固定部材であり、図１（ｂ）に示すように、図１（ｃ）（正面図）、図１（ｄ）側面図、図１（ｅ）（斜視図）に示すように、板材をＬ字状に折り曲げて、嵌合溝１１、嵌合片１１ａを形成した部材をスポット溶接、接着剤、等の接着を介して一定ピッチで形成したものであり、壁材Ｂを図１に示すように引っ掛けて固定するためのものである。勿論、溶接の場合には、芯材Ｄを形成前に取り付けるものである。
【００１２】
固定部材Ｆの素材としては、主に金属製素材よりなり、スポット溶接が可能な素材が有効である。例えば、カラー鋼板、アルミ・亜鉛合金メッキ鋼板、アルミニウム板、チタン板、ステンレス板、銅板、フッ素樹脂被覆鋼板、等の金属薄板、等をロール成形、プレス成形したもの、あるいはアルミニウム合金、合成樹脂材、等を押出成形して長尺状に形成したものである
【００１３】
さらに詳説すると、下地兼取付部材Ａは図１（ａ）、（ｂ）、固定部材Ｆは図１（ｃ）〜（ｅ）に示すように形成するものであり、下地兼取付部材Ａの形状は、垂直平面状の固定片部２と設置片部３よりなる固定部１と、上端の雌型連結部４と下端の雄型連結部５とから形成したものであり、固定部１は上端を内方に屈曲して傾斜した上側壁６と略水平な下側壁７と上側壁６と下側壁７間を凹状にへこませた固定面８と、固定面８に形成した凹状に窪ませた固定部９と、下側壁７近傍に形成した凹状の接着剤位置決め部１０と、固定部材Ｆにより形成した嵌合溝１１と、図４に示すように固定部材Ｆにより形成した水抜き溝１２とから形成したものである。また、固定部材Ｆは設置片３部分に一定ピッチでスポット溶接等を介して固定されるものである。
【００１４】
雌型連結部４は、上端を上方に突出した差込片１３と、差込片１３の先端を内側方に屈曲した上面１４と、上面１４の先端を外側方へ突出した下面１５と、上面１４と下面１５とから形成した差込溝１６と、下面１５をさらに外側方へ突出した防水面１７と、防水面１７の先端を折り返した舌片１８とから形成したものである。雄型連結部５は、下端を内方に屈曲した下片１９と、下片１９の先端を内側方に突出した上片２０と、上片２０の先端を外側方に突出した係合片２１と、上片２０と係合片２１とから形成した係合溝２２と、係合溝２２の最奥に形成したパッキング材２３とから形成したものである。
【００１５】
雌型連結部４と雄型連結部５は図６に示すように連結されて凹状の固定部９が固定具βにより壁下地αに固定されるものである。また、固定部９が固定具βにより固定されることにより、防水面１７が固定されるよりも安定性が良く、下地兼取付部材Ａがバタ付くことがなくなると共に、芯材Ｄとして合成樹脂発泡体等のプラスチックフォームを使用した場合には、芯材Ｄの経時的な変形が外観に現れるのを防止するものである。
【００１６】
嵌合溝１１は後記する壁材Ｂの係止片３０を嵌合し、壁材Ｂを下地兼取付部材Ａに固定するためのものである。
【００１７】
勿論、嵌合溝１１の形成ピッチは壁材Ｂの働き幅と同じである。また、固定片部２と設置片部３の形成個数も任意である。
【００１８】
水抜き溝１２は図４に示すように、固定部材Ｆが形成されていない部分にできる空間であり、この部分を介して、万が一に内部に浸入した雨水等を外部に排出するための部分である。
【００１９】
壁材Ｂはタイル、セラミック板、あるいはセメント板、炭酸カルシウム板、珪酸カルシウム板、木片セメント板、炭酸マグネシウム板等、もしくはこれらにガラス繊維、ウィスカー、アラミド繊維、スチール繊維、炭素繊維、各種鉱物繊維、各種骨材等を混入したもの、等を押出成形、プレス成形、射出成形、抄造法、等によって成形した窯業系サイディング材、または各種繊維をクロス状、三次元状に織り、これにセメント、粘土等を含浸してパネル状に成形したものを乾燥、蒸気養生、焼成、等したもの、さらには金属製パネル、金属製サイディング材（金属製表面材の裏面に合成樹脂発泡体等の芯材を積層した建材、あるいは金属製表面材と裏面材間に合成樹脂発泡体等の芯材をサンドイッチした建材）、木板、合成樹脂板、等からなるものである。
【００２０】
さらに説明すると、壁材Ｂの一例としては図８（ａ）、（ｂ）に示すように長尺板状で表面の化粧面２４の幅方向上下端に相决り状の雌実部２５と雄実部２６を有し、かつ、雄実部２６の切り欠き角部には係止溝２７、足２８を形成し、足２８には凹部２８ａ、突起２８ｂを形成し、雄実部２６には係止溝２９、係止片３０、傾斜面３１、段差３２を形成したものである。
【００２１】
係止片３０は下地兼取付部材Ａの嵌合溝１１に係止されて壁材Ｂの上端部分を固定するものである。
【００２２】
凹部２８ａは図７（ａ）、（ｂ）に示すように接着剤Ｐを下地兼取付部材Ａと壁材Ｂ間に内在させることにより接着力の強化と接着剤Ｐの使用量の低下を図るために形成したものである。
【００２３】
突起２８ｂは、壁材Ｂ成型時の口金の摩耗管理、壁材Ｂの生産管理のために形成したものである。
【００２４】
傾斜面３１は万が一に壁材Ｂが破損した場合に、壁材Ｂの上端部を挿入し易いように形成したものである。
【００２５】
施工は、下地兼取付部材Ａを土台から軒方向に施工し、その後接着剤Ｐを施工しながら壁材Ｂを嵌合と接着剤Ｐを介して下地兼取付部材Ａ上に取り付けるものである。
【００２６】
以上説明したのは、本発明に係る下地兼取付部材の一実施例にすぎず、図９（ａ）〜（ｈ）〜図１５（ａ）、（ｂ）に示すように形成することもできる。
【００２７】
図９（ａ）〜（ｈ）、図１０（ａ）〜（ｅ）は下地兼取付部材Ａのその他の実施例を示す断面図である。
【００２８】
図１０（ａ）〜（ｅ）〜図１５（ａ）、（ｂ）は固定部材Ｆのその他の実施例を示す説明図である。
【産業上の利用可能性】
【００２９】
本発明に係る壁材と取付構造によれば、この種の壁材にあって、今までにない施工性と断熱性を向上できる。
【図面の簡単な説明】
【００３０】
【図１】本発明に係る下地兼取付部材の代表例を示す説明図である。
【図２】本発明に係る下地兼取付部材の代表例を示す拡大部分断面図である。
【図３】本発明に係る下地兼取付部材の代表例を示す斜視図である。
【図４】本発明に係る下地兼取付部材の代表例を示す斜視図である。
【図５】本発明に係る下地兼取付部材の代表例を示す説明図である。
【図６】本発明に係る下地兼取付部材の施工状態を示す断面図である。
【図７】本発明に係る下地兼取付部材の施工状態を示す断面図である。
【図８】本発明に係る下地兼取付部材に使用する壁材の代表例を示す説明図である。
【図９】本発明に係るの下地兼取付部材のその他の実施例を示す説明図である。
【図１０】本発明に係るの下地兼取付部材と固定部材のその他の実施例を示す説明図である。
【図１１】本発明に係るの下地兼取付部材の固定部材のその他の実施例を示す説明図である。
【図１２】本発明に係るの下地兼取付部材の固定部材のその他の実施例を示す説明図である。
【図１３】本発明に係るの下地兼取付部材の固定部材のその他の実施例を示す説明図である。
【図１４】本発明に係るの下地兼取付部材の固定部材のその他の実施例を示す説明図である。
【図１５】本発明に係るの下地兼取付部材の固定部材のその他の実施例を示す説明図である。
【符号の説明】
【００３１】
Ａ  下地兼取付部材
Ｂ  壁材
Ｃ  表面材
Ｄ  芯材
Ｅ  裏面材
Ｆ  固定部材
Ｐ  接着剤
α  壁下地
β  固定具
１  防水部
２  固定片部
３  設置片部
４  雌型連結部
５  雄型連結部
６  上側壁
６ａ  水平面
７  下側壁
８  固定面
９  固定部
１０  接着剤位置決め部
１１  嵌合溝
１１ａ  嵌合片
１２  水抜き溝
１３  差込片
１４  上面
１５  下面
１６  差込溝
１７  防水面
１８  舌片
１９  下片
２０  上片
２１  係合片
２２  係合溝
２３  パッキング材
２４  化粧面
２５  雌実部
２６  雄実部
２７  係止溝
２８  足
２８ａ  凹部
２８ｂ  突起
２９  係止溝
３０  係止片
３１  傾斜面
３２  段差
【図１】
2005207129.tif 000003
【図２】
2005207129.tif 000004
【図３】
2005207129.tif 000005
【図４】
2005207129.tif 000006
【図５】
2005207129.tif 000007
【図６】
2005207129.tif 000008
【図７】
2005207129.tif 000009
【図８】
2005207129.tif 000010
【図９】
2005207129.tif 000011
【図１０】
2005207129.tif 000012
【図１１】
2005207129.tif 000013
【図１２】
2005207129.tif 000014
【図１３】
2005207129.tif 000015
【図１４】
2005207129.tif 000016
【図１５】
2005207129.tif 000017